(57)【要約】  本提案は、３ＧＰＰ仕様書及びシナリオに従ったユーザ装置（User Equipment：ＵＥ）などとして一般に参照され、小容量のデータの転送を要求する移動無線通信装置からのデータ転送に関連し、特に、移動無線通信ネットワーク内での通信用の移動無線通信装置を提供するものであり、前記装置は、データ転送用のネットワークアクセスであって小容量データ転送機能（Small Data Transmission feature）を含むネットワークアクセスを要求する少なくとも１つのアプリケーションを動作させるように構成され、さらに、前記装置は、参照アプリケーション情報を受信するように構成され、前記参照アプリケーション情報によって、ネットワークアクセスをするアプリケーションがデータ転送用の前記小容量データ転送機能を使用可能であるかどうかを決定することができる。【選択図】図２
2016536861.tif 000002
【特許請求の範囲】
【請求項１】
移動無線通信ネットワーク内での通信用の移動無線通信装置であって、前記装置は、データ転送用のネットワークアクセスであって小容量データ転送機能（Small Data Transmission feature）を含むネットワークアクセスを要求する少なくとも１つのアプリケーションを動作させるように構成され、さらに、前記装置は、参照アプリケーション情報を受信するように構成され、前記参照アプリケーション情報によって、ネットワークアクセスをするアプリケーションがデータ転送用の前記小容量データ転送機能を使用可能であるかどうかを決定することができる、移動無線通信装置。
【請求項２】
前記要求された転送が小容量データ転送基準を満たすかどうかを決定するように構成される、請求項１に記載の移動無線通信装置。
【請求項３】
前記要求された転送が小容量データ転送基準を満たすかどうかを、前記装置のアプリケーション層又はプロトコルスタックで決定するように構成される、請求項２に記載の移動無線通信装置。
【請求項４】
前記参照アプリケーション情報は、前記小容量データ転送機能を使用可能なアプリケーションを識別することができる、請求項１〜３のいずれか１項に記載の移動無線通信装置。
【請求項５】
前記参照アプリケーション情報は、前記小容量データ転送機能の使用を禁止されたアプリケーションを識別することができる、請求項１〜４のいずれか１項に記載の移動無線通信装置。
【請求項６】
前記参照アプリケーション情報の参照によって、前記小容量データ転送機能を使用することができないと決定された場合、フォールバックパケット転送手順を使用するように構成される、請求項１〜５のいずれか１項に記載の移動無線通信装置。
【請求項７】
前記無線通信ネットワークから前記参照アプリケーション情報を受信するように構成される、請求項１〜６のいずれか１項に記載の移動無線通信装置。
【請求項８】
ネットワークアクセスをするアプリケーションが前記小容量データ転送機能を使用可能であるかどうかを、アプリケーション層で決定するように構成される、請求項１〜７のいずれか１項に記載の移動無線通信装置。
【請求項９】
ネットワークアクセスをするアプリケーションが前記小容量データ転送機能を使用可能であるかどうかを、プロトコルスタックで決定するように構成される、請求項１〜７のいずれか１項に記載の移動無線通信装置。
【請求項１０】
前記参照アプリケーション情報は、アプリケーション識別子である、請求項１〜９のいずれか１項に記載の移動無線通信装置。
【請求項１１】
前記少なくとも１つのアプリケーションは、前記装置の内部から導き出される、請求項１〜１０のいずれか１項に記載の移動無線通信装置。
【請求項１２】
前記少なくとも１つのアプリケーションは、前記装置の外部から導き出される、請求項１〜１０のいずれか１項に記載の移動無線通信装置。
【請求項１３】
移動無線通信ネットワーク内での通信用の移動無線通信装置における動作方法であって、前記装置は、データ転送用のネットワークアクセスであって小容量データ転送機能（Small Data Transmission feature）を含むネットワークアクセスを要求する複数のアプリケーションを含み、前記方法は、ネットワークアクセスをするアプリケーションがデータ転送用の前記小容量データ転送機能を使用可能であるかどうかを、アプリケーション情報によって決定するステップを含む、方法。
【請求項１４】
前記要求された転送が小容量データ転送基準を満たすかどうかを決定するステップを含む、請求項１３に記載の方法。
【請求項１５】
前記決定ステップは、アプリケーション層又はプロトコルスタックで実行される、請求項１４に記載の方法。
【請求項１６】
前記参照アプリケーション情報を、前記小容量データ転送機能へのアクセスが許可されたアプリケーションの識別子として、又は、前記小容量データ転送機能へのアクセスが許可されていないアプリケーションの識別子として、渡すことを含む、請求項１３、１４、及び１５のいずれか１項に記載の方法。
【請求項１７】
前記要求された転送が前記小容量データ転送要求を満たさないと決定された場合、及び／又は、前記アプリケーションが前記小容量データ転送機能へのアクセスが許可されたものとして識別されない場合、フォールバック手順によって、前記アプリケーションデータを転送することを含む、請求項１３〜１６のいずれか１項に記載の方法。
【請求項１８】
前記ネットワークから前記参照アプリケーション情報を受信するステップを含む、請求項１３〜１７のいずれか１項に記載の方法。
【請求項１９】
前記アプリケーションデータが禁止又は許可されているか否かを決定する前記ステップは、アプリケーション層で実行される、請求項１３〜１８のいずれか１項に記載の方法。
【請求項２０】
前記アプリケーションデータが基礎又は許可されているか否かを決定する前記ステップは、プロトコルスタックで実行される、請求項１３〜１８のいずれか１項に記載の方法。
【請求項２１】
ネットワークアクセスをする前記アプリケーションは、前記装置の内部から導き出される、請求項１３〜２０のいずれか１項に記載の方法。
【請求項２２】
ネットワークアクセスをする前記アプリケーションは、前記装置の外部から導き出される、請求項１３〜２０のいずれか１項に記載の方法。
【請求項２３】
移動無線通信ネットワーク内で動作する移動無線通信装置との通信するように構成されると共に、データ転送用のネットワークアクセスであって小容量データ転送機能を含むネットワークアクセスを要求するアプリケーションを動作させるように構成される移動無線通信ネットワーク装置であって、さらに、前記装置は、アプリケーション情報を前記移動無線通信装置に伝送するよう構成され、前記アプリケーション情報によって、ネットワークアクセスをするアプリケーションがデータ転送用の前記小容量データ転送機能を使用可能であるかどうかを決定することができる、移動無線通信ネットワーク装置。
【請求項２４】
前記参照アプリケーション情報は、前記小容量データ転送機能へのアクセスが許可されたアプリケーションの識別子、又は、前記小容量データ転送機能へのアクセスが許可されていないアプリケーションの識別子である、請求項２３に記載の移動無線通信ネットワーク装置。
【請求項２５】
前記参照アプリケーション情報を、許可アプリケーションリスト又は禁止アプリケーションリストとして、前記移動無線通信装置に渡すように構成される、請求項２３又は２４に記載の移動無線通信ネットワーク装置。
【請求項２６】
前記移動無線通信ネットワーク装置は、ホーム加入者サーバ（Home Subscriber Server）、移動管理エンティティ（Mobile Management Entity）、又はｅＮｏｄｅＢのいずれかである、請求項２３、２４、又は２５に記載の移動無線通信ネットワーク装置。
【請求項２７】
移動無線通信ネットワーク内に設置される移動無線通信装置と通信するように構成されると共に、データ転送用のネットワークアクセスを要求するアプリケーションを動作させるように構成される移動無線通信ネットワーク装置における動作方法であって、前記ネットワークアクセスは、小容量データ転送機能を含み、前記方法は、アプリケーション情報を前記移動無線通信装置に伝送することを含み、前記アプリケーション情報によって、ネットワークアクセスをするアプリケーションがデータ転送用の前記小容量データ転送機能を使用可能であるかどうかを決定することができる、方法。
【請求項２８】
前記小容量データ転送機能へのアクセスが許可されたアプリケーションの識別子である前記参照アプリケーション情報を伝送するステップを含む、請求項２７に記載の方法。
【請求項２９】
前記小容量データ転送機能の使用を禁止されたアプリケーションの識別子である前記参照アプリケーション情報を伝送するステップを含む、請求項２７に記載の方法。
【請求項３０】
請求項１〜１２のいずれか１項に記載の移動無線通信装置及び請求項２３〜２６のいずれか１項に記載の移動無線通信ネットワーク装置を使用する通信システム。
【請求項３１】
移動無線通信ネットワークの動作方法であって、請求項１３〜２０のいずれか１項に記載の移動無線通信装置を動作させ、移動無線通信ネットワーク装置を動作させるステップを含む、方法。
【請求項３２】
添付図面を参照して実質的に述べられる、移動無線通信装置。
【請求項３３】
添付図面を参照して実質的に述べられる、移動無線通信装置における動作方法。
【請求項３４】
添付図面を参照して実質的に述べられる、移動無線通信ネットワーク装置。
【請求項３５】
添付図面を参照して実質的に述べられる、移動無線通信ネットワーク装置における動作方法。
【請求項３６】
添付図面を参照して実質的に述べられる、移動無線通信システム。
【請求項３７】
添付図面を参照して実質的に述べられる、移動無線通信システムにおける動作方法。
【発明の詳細な説明】
【技術分野】
【０００１】
本発明は、３ＧＰＰ（3rd Generation Partnership Project）仕様書及びシナリオに従ったユーザ装置（User Equipment：ＵＥ）などとして一般に参照される移動無線通信装置であって、一般に小容量データ転送（Small Data Transmission：ＳＤＴ）機能（feature）として知られる、小容量のデータの転送を要求するマシン型通信（ＭＴＣ：Machine Type Communication）の装置を含む、移動無線通信装置からのデータ転送に関する。
【背景技術】
【０００２】
例えば、多くのＭＴＣアプリケーションが、小容量のデータを送信又は受信することが良く知られている。また、スマートフォンの使用時に、多くのアプリケーションが、‘キープアライブ（keep-alive）’メッセージをネットワークと交換し、ネットワーク接続をオープンに維持しようとすることが非常に増えている。この全てによって、３ＧＰＰシステム内のリソースの非効率な使用が生じている。
【０００３】
実際に、３ＧＰＰ  ＳＡ１（Services and Systems Aspects）ワーキンググループは、ＭＴＣの潜在的で重要な機能としてＳＤＴを認定している。技術仕様書ＴＳ２２．３６８のセクション７．２．５によれば、小容量のデータを送信又は受信するＭＴＣ装置が、“ＭＴＣ機能ＳＤＴ（MTC Feature SDT）”を使用することを意図し、システムに対して、最小のネットワークインパクト（例えば、シグナリングオーバヘッド、ネットワークリソース、リロケーションの遅延）で小容量のデータを転送（送信又は受信のいずれか）することをサポートするよう要求している。小容量のデータの転送前に、ＭＴＣ装置は、ネットワークへアタッチ又はネットワークからデタッチしても良いし、また、システムは、例えば、課金又は統計目的などのサブスクリプション毎の小容量データ転送の数をカウントするように構成することができる。
【０００４】
また、３ＧＰＰ  ＳＡ２ワーキンググループは、技術報告書ＴＲ２３．８８７のセクション５．１などに記載されているように、ＭＴＣｅ−ＳＤＤＴＥ（Small Data transmission and Device Triggering Enhancements）ワークアイテムの一部として、ＳＤＴ最適化（スマートフォンからのキープアライブメッセージのコンテキストを含む）を検討している。ここでは、多くのアプリケーションが、小容量のデータを送信又は受信しており、その特性によって３ＧＰＰシステムのリソースの非効率な使用が生じており、そのために、効率を改良すべき対応装置が存在していると述べられている。小容量と見なされる正確な量は、個々のシステム間で異なっていても良い。
【０００５】
さらに、このワークアイテムは、ＳＤＴに関して、アプリケーションによって要求される任意の時間にデータ転送が生じ得ると仮定していると述べている。上述のように、小容量データの転送前に、ＭＴＣ装置は、ネットワークへアタッチ又はネットワークからデタッチしても良い。
【０００６】
潜在的で重要な問題としての“効率的な小容量データ転送”の認定。
【０００７】
ＳＡ２ワーキンググループは、上述の技術報告書ＴＲ２３．８８７に明示されているように、ＳＤＴ機能の効率的な使用に関する幾つかの解決策を提案している。
【０００８】
ＳＤＴに関して一般的には、シグナリングオーバヘッド、ネットワークリソース消費、及び／又はリロケーションの遅延などのネットワークインパクトを減少するために、通常使用するデータパスとは異なるデータパスが提案されている。
【０００９】
一般的には、ＳＤＴに関する特定の基準を満たす場合は、このＳＤＴ機能を使用するように取り決められている。このような基準の例としては、転送されるデータがただ１つのＩＰ（Internet Protocol）パケットであること、及び、必要であれば、期待される応答も１つのＩＰパケットであること、又は、その代わりに、データサイズが小容量であることである。データ交換の多くのインスタンスの監視サイズ（observed size）は、上述の技術仕様書ＴＳ２２．３６８のセクション７．２．５に記載されているように、約１Ｋ（１０２４）オクテットのオーダーである。
【００１０】
そのため、３ＧＰＰ  ＳＡ２ワーキンググループは、ＳＤＴに関する解決策を規定し、推奨しようとしているが、その一方で、ＵＥ及びネットワーク側の双方でのＳＤＴの使用の制御方法に関連する未決定の問題が未だに存在する。例えば、技術報告書ＴＲ２３．８８７のセクション５．１．１．３．１．１の“エディターノート（Editor's Note）”では、“アプリケーションがサービスリクエスト手順を正確に使用し、この‘小容量データ’ＮＡＳ（Non-Access Stratum）手順を悪用しないことを保証する方法は、未解決な問題である”と報告されている。
【００１１】
３ＧＰＰシステムが、ＵＥ及びＵＥ上のアプリケーションによる小容量データ転送の使用の制限及び制御に関する解決策を使用する必要があることは、この“エディターノート”から明らかである。
【００１２】
また、３ＧＰＰ  ＲＡＮ２ワーキンググループからのリエゾン文書（ＬＳ：Liaison Statement）Ｒ２−１３３０３３（非特許文献１）に関連する小容量データ転送があり、そこでは、ある条件でのＳＤＴの異なる処理によって利益が生じ得ると認識されている。しかし、また、ＲＡＮ２ワーキンググループは、ＳＤＴ機能及び解決策が規定されるべきであり、他のトラフィックと共にＳＤＴ機能を使用すると容量及びパフォーマンスの低下が引き起こされるため、ＳＤＴ機能にマッチしたトラフィックのみにこのような解決策を使用させることを保証することが重要であると述べている。
【００１３】
つまり、ＲＡＮ２は、非常に特定の使用の場合にのみ、具体的には次の条件が満たされる場合にのみ、その解決策によって、無線及びＳ１−ＭＭＥインタフェースの双方のパフォーマンスの改良が顕著になると述べている。第１に、その解決策がパケットの‘分離（isolated）’バーストの転送に使用されることであり、このことは、パケットのバーストの転送が比較的長いインアクティブ期間（例えば、少なくとも１分）の間、続くことを意味する。パケットバーストの到着間隔（inter-arrival time）が短い場合、この解決策は、ＵＥがＲＲＣ（Radio Resource Control）接続モードをより効率的に維持するレガシーな解決策よりも、容量が悪化するであろう。第２に、パケットバーストが、最大で２パケット（トータルで、すなわち、ＵＬ（Uplink：アップリンク）及びＤＬ（Downlink：ダウンリンク）パケットの双方を考慮して）から構成されることである。より多くのパケットがバーストで送信される場合、その解決策は、無線及びＳ１−ＭＭＥインタフェースの双方におけるレガシーな解決策よりも、容量が悪化するであろう（各パケットペア用のＲＲＣコネクションのセットアップ／リリースが要求されるであろう）。第３は、パケットのサイズが‘小容量’であることであり（例えば、数１００バイトのオーダー）（すなわち、ＵＬ／ＤＬメッセージあたり１Ｋバイト超）、そうでなければ、無線インタフェースを用いる利点は無いであろう。Ｓ１−ＭＭＥインタフェースにおけるメッセージの数は減少するであろうが、このようなＳ１メッセージのサイズは増加するであろう。
【００１４】
技術報告書ＴＲ２３．８８７では、ＳＤＴの制限及び制御を実現可能な１つの方法として、ＳＤＴ用の加入要求（subscription requirement）を用いる方法が提案されている。この技術報告書のセクションｓ５．１．１．３．１．２では、ホーム加入者サーバ（Home Subscriber Server：ＨＳＳ）上には、ＳＤＴの展開によって次に期待されるインパクト、すなわち、“ＵＥが“小容量データ”機能を使用するかどうかを示す加入可能情報（Possible subscription information）”がある。また、ネットワークオペレータ及びＭＴＣサービスプロバイダは、小容量データ用のトラフィックパターンにマッチする幾つかのＭＴＣサービス用のＳＤＴ加入サービスのプロビジョン（将来的に３ＧＰＰによって規定及び標準化されるか、又は、ネットワークオペレータ自身によって規定される）に将来的に同意する可能性がある、と考えられている。ＳＤＴに適した１つの例は、公共（ガス／電気）メータの報告である。他の例としては、健康分野（ｅ−ヘルス）におけるリモート報告を挙げることができる。これらの例はもちろん完全なもの（exhaustive）ではない。このような環境において、ＳＤＴが可能なＵＥ（又はＭＴＣ装置）は、複数のアプリケーション（それぞれＳＤＴ加入と共に）を使用し、加入によって制御／制限される小容量データサービスにアクセスするであろう。
【先行技術文献】
【非特許文献】
【００１５】
【非特許文献１】3GPP TSG RAN WG2 Meeting #83, R2-133033, "Reply LS on requesting further input on MTCe solution 5.1.2.3.1", 2013-08
【発明の概要】
【発明が解決しようとする課題】
【００１６】
しかし、この出願の発明者等は、ＳＤＴ機能を維持及び制御しようとする、このような既知の手段は、不利に限定されてしまうことを見出した。
【００１７】
本発明は、ＳＤＴ機能の適用を考慮した場合に、既知のこのような装置及び方法よりも有利な、移動無線通信装置及び動作方法、関連するネットワーク装置、関連する動作方法、ネットワークシステム全体及び動作方法を提供するものである。
【課題を解決するための手段】
【００１８】
本発明の第１の態様によれば、移動無線通信ネットワーク内での通信用の移動無線通信装置が提供され、前記装置は、データ転送用のネットワークアクセスであって小容量データ転送機能（Small Data Transmission feature）を含むネットワークアクセスを要求する少なくとも１つのアプリケーションを動作させるように構成され、さらに、前記装置は、アプリケーション情報を保持するように構成され、前記アプリケーション情報によって、ネットワークアクセスをするアプリケーションがデータ転送用の前記小容量データ転送機能を使用可能であるかどうかを決定することができる。
【００１９】
本発明は、現在既知のものと比較して、ＳＤＴ機能の適用の改良された制御／制限を提供する点で特に有利であり、また、特に、加入サービス／情報（subscription services/information）に依存する。特に、ネットワークが、ＳＤＴ機能を使用するユーザ装置（User Equipment）を抑制又は制御する、改良されたメカニズムを有し得ることが見出された。
【００２０】
有利には、前記装置は、前記要求された転送が小容量データ転送基準を満たすかどうかを決定するように構成することができる。特に、このような決定は、前記装置内のアプリケーション層で、又は、プロトコルスタックなどのより低い層で実現することができる。
【００２１】
一態様において、前記アプリケーション情報は、前記小容量データ転送機能を使用可能なアプリケーションを識別することができる。特に、このようなアプリケーション情報は、ＳＤＴ許可アプリケーションリストの形式で提供することができる。
【００２２】
その代わりに、前記アプリケーション情報は、前記小容量データ転送機能の使用を禁止されたアプリケーションを識別することができるように提供することができ、ＳＤＴ禁止アプリケーションリストの形式などで提供することができる。
【００２３】
さらに、前記装置は、前記アプリケーション情報の参照によって、前記小容量データ転送機能を使用することができないと決定された場合、フォールバックパケット転送手順を使用できるように構成することができる。
【００２４】
さらなる特徴として、前記装置は、前記無線通信ネットワークから前記アプリケーション情報を受信するように構成することができる。
【００２５】
特に、前記アプリケーション情報は、ホーム加入者サーバ（Home Subscriber Server：ＨＳＳ）によって、必要であれば、加入者情報（subscriber information）として、伝送することができる。他の例として、前記アプリケーション情報は、アタッチ／ＴＡＵ（Tracking Area Update）／ＲＡＵ（Routing Area Update）手順などの任意のＮＡＳ手順の間に、伝送することができる。
【００２６】
また、必要であれば、前記アプリケーション情報は、ＯＭＡ  ＤＭ（Open Mobile Alliance Device Management）又はＵＳＩＭ  ＯＴＡ（Universal Subscriber Identity Module - Over the Air）などのプロビジョニングメカニズムによって伝送することができる。
【００２７】
さらにまた、前記装置は、ネットワークアクセスをするアプリケーションが小容量データ転送機能を使用可能であるかどうかを、アプリケーション層内で決定するように構成することができる。
【００２８】
その代わりに、前記装置は、ネットワークアクセスをするアプリケーションが小容量データ転送機能を使用可能であるかどうかを、プロトコルスタックで決定するように構成することができる。
【００２９】
ある特定の実施形態において、前記アプリケーション情報は、アプリケーション識別子とすることができる。
【００３０】
上述のように、本発明においては、前記少なくとも１つのアプリケーションは、前記装置、例えば、ＵＥ装置の内部から導き出される（derived）アプリケーションとすることができることを理解すべきである。その代わりに、前記少なくとも１つのアプリケーションは、モデム型装置として前記ＵＥを効率的に使用する装置の外部から導き出されるアプリケーション、例えば、ＡＴコマンド、ブルートゥース（登録商標）、又は、任意の他の適切なインタフェース技術によって接続された、前記ＵＥの外部のセンサ又は装置からのアプリケーションとすることができる。
【００３１】
本発明の他の態様によれば、移動無線通信ネットワーク内での通信用の移動無線通信装置における動作方法が提供され、前記装置は、データ転送用のネットワークアクセスであって小容量データ転送機能（Small Data Transmission feature）を含むネットワークアクセスを要求する少なくとも１つのアプリケーションを含み、前記方法は、ネットワークアクセスをするアプリケーションがデータ転送用の前記小容量データ転送機能を使用可能であるかどうかを、参照アプリケーション情報によって決定するステップを含む。
【００３２】
さらに、前記方法は、前記要求された転送が小容量データ転送基準を満たすかどうかを決定するステップを含むことができる。このような決定ステップは、アプリケーション層内で、又は、プロトコルスタックなどの前記移動無線通信装置のより低い層で実行することができる。
【００３３】
さらに、前記方法は、前記参照アプリケーション情報を、ＳＤＴ許可アプリケーションリストなどの、前記小容量データ転送機能へのアクセスが許可されたアプリケーションの識別子として、又は、ＳＤＴ禁止アプリケーションリストなどの、前記小容量データ転送機能へのアクセスが許可されていないアプリケーションの識別子として、渡すことを含むことができる。
【００３４】
前記移動無線通信装置における動作方法は、前記要求された転送が前記小容量データ転送要求を満たさないと決定された場合、又は、前記アプリケーションが前記小容量データ転送機能へのアクセスが許可されたものとして識別されないと決定された場合、フォールバック手順によって、前記アプリケーションデータのパケット転送を行うことを含むことができる。
【００３５】
さらに、前記方法は、前記ネットワークから前記参照アプリケーション情報を受信することを含む。
【００３６】
上述のように、前記参照アプリケーション情報は、ＨＳＳによって、加入者情報として、受信することができ、又は、アタッチ／ＴＡＵ／ＲＡＵ手順などの任意のＮＡＳ手順の間に伝送することができる。
【００３７】
また、前記方法は、ＯＭＡ  ＤＭ又はＵＳＩＭ  ＯＴＡメカニズムなどのプロビジョンメカニズムによって、前記参照アプリケーション情報を受信することを含むことができる。
【００３８】
好ましくは、前記アプリケーションが禁止又は許可されているか否かを決定するステップは、有利には、アプリケーション層で実行される。その代わりに、このような決定は、プロトコルスタックなどの前記装置のより低い層で実行することもできる。
【００３９】
上述から理解されるように、前記参照アプリケーション情報は、アプリケーション識別子とすることができる。
【００４０】
本発明の他の態様によれば、移動無線通信ネットワーク内で動作する移動無線通信装置と通信するように構成されると共に、データ転送用のネットワークアクセスであって小容量データ転送機能（Small Data Transmission feature）を含むネットワークアクセスを要求する少なくとも１つのアプリケーションを動作させるように構成される移動無線通信ネットワーク装置が提供され、さらに、前記装置は、参照アプリケーション情報を前記移動無線通信装置に伝送するように構成され、前記参照アプリケーション情報によって、ネットワークアクセスをするアプリケーションがデータ転送用の前記小容量データ転送機能を使用可能であるかどうかを、前記移動無線通信装置で決定することができる。
【００４１】
前記参照アプリケーション情報は、有利には、前記小容量データ転送機能へのアクセスが許可されたアプリケーションの識別子とすることができ、又は、その代わりに、前記小容量データ転送機能へのアクセスが許可されていないアプリケーションの識別子とすることができる。
【００４２】
このように、前記参照アプリケーション情報は、許可アプリケーションリスト又は禁止アプリケーションリストとして、前記移動無線通信装置に渡すことができる。
【００４３】
さらに、前記移動無線通信ネットワーク装置は、前記参照アプリケーション情報を、ＨＳＳによって、例えば、加入者情報として、伝送するように構成される。
【００４４】
さらなるオプションとして、前記アプリケーション情報は、アタッチ／ＴＡＵ／ＲＡＵ手順などの任意のＮＡＳ手順の間に、又は、ＯＭＡ  ＤＭ又はＵＳＩＭ  ＯＴＡメカニズムなどのプロビジョニングメカニズムによって、伝送することができる。
【００４５】
前記移動無線通信ネットワーク装置は、例えば、ＨＳＳ、ＭＭＥ、又はｅＮｏｄｅＢ（evolved Node B）などの任意の適切なネットワーク装置とすることができ、これらは全て、前記移動無線通信装置にこの情報を伝送するように、連続した組み合わせで（in series combination）配置することができることを理解すべきである。
【００４６】
本発明の関連するさらなる態様によれば、移動無線通信ネットワーク内の移動無線通信装置と通信するように構成されると共に、データ転送用のネットワークアクセスであって小容量データ転送機能（Small Data Transmission feature）を含むネットワークアクセスを要求する少なくとも１つのアプリケーションを動作させるように構成される移動無線通信ネットワーク装置における動作方法が提供され、前記方法は、参照アプリケーション情報を前記移動無線通信装置に伝送することを含み、前記参照アプリケーション情報によって、ネットワークアクセスをするアプリケーションがデータ転送用の前記小容量データ転送機能を使用可能であるかどうかを、前記移動無線通信装置で決定することができる。
【００４７】
前記方法は、前記小容量データ転送機能へのアクセスが許可されたアプリケーションの識別子である前記参照アプリケーション情報を伝送するステップ、又は、その代わりに、前記小容量データ転送機能の使用を禁止されたアプリケーションの識別子を提供するステップを含むことができる。
【００４８】
前記参照アプリケーション情報の伝送は、ＨＳＳによって、加入者情報などで実現することができ、又は、アタッチ／ＴＡＵ／ＲＡＵ手順などの任意のＮＡＳ手順の間に、伝送することができる。
【００４９】
このステップのさらなる代替は、ＯＭＡ  ＤＭ又はＵＳＩＭ  ＯＴＡメカニズムなどのプロビジョニングメカニズムによって、前記アプリケーション情報を伝送することである。
【００５０】
もちろん、本発明は、上述のような移動無線通信装置及び移動無線通信ネットワーク装置を使用する通信システムも提供することができることが理解されるであろう。
【００５１】
また、本発明は、上述のように、移動無線通信装置及び移動無線通信ネットワーク装置を動作させるステップを含む、移動無線通信ネットワークの動作方法を提供することができる。
【００５２】
そのため、要約すると、本発明は、有利には、ＳＤＴ機能を使用可能又は使用不可であるアプリケーションを、ネットワークが、ＵＥにおいて、制御することを許可していることを理解すべきである。この制御は、ＳＤＴ機能許可アプリケーションリスト又はＳＤＴ機能禁止アプリケーションリストの参照によって実現することができる。
【００５３】
前記ＳＤＴ機能は、ＩＰパケットの転送を開始するアプリケーションが、ＳＤＴ機能許可アプリケーションリストに記述されている場合に、アプリケーションデータの転送に使用することができる。そうでなければ、ＳＤＴ機能は使用することができない。
【００５４】
又は、その代わりに、前記ＳＤＴ機能は、ＩＰパケットの転送を開始するアプリケーションが、ＳＤＴ機能禁止アプリケーションリストに記述されている場合に、アプリケーションデータの転送に使用することはできない。
【００５５】
前記リストは、有利には、ネットワーク側から制御されるべきであり、上述のように、ＨＳＳにおいて、加入者情報としてプロビジョニングをすることができる。
【００５６】
その代わりに、前記リストは、例えば、アタッチ／ＴＡＵ／ＲＡＵ手順などの任意のＮＡＳ手順の間に、又は、ＯＭＡ  ＤＭ又はＵＳＩＭ  ＯＴＡメカニズムなどのプロビジョニングメカニズムを使用して、ネットワークからＵＥへ伝送することができる。
【００５７】
前記リストは、前記ＵＥが格納して保持し、ＳＤＴ機能の使用が特定のアプリケーションに許可されるか否かを決定するために使用することができる。前記リストにあるアプリケーションは、有利には、アプリケーション識別子によって明示することができる。この目的のために、任意のフォーマットを規定することができる。例えば、同様のフォーマットが、ＩＡＮＡ（Internet Assigned Number Authority）によって標準化されたアプリケーションポートＩＤによって使用されている。
【発明の効果】
【００５８】
本発明によれば、ＳＤＴ機能の適用を考慮した場合に、既知のこのような装置及び方法よりも有利な、移動無線通信装置及び動作方法、関連するネットワーク装置、関連する動作方法、ネットワークシステム全体及び動作方法を提供することができる。
【図面の簡単な説明】
【００５９】
【図１】図１は、本発明の実施の形態による、アタッチ手順の間の移動無線通信装置及びネットワーク装置におけるシグナリング及び接続（connectivity）を示すシグナリング図であり、シグナリング及びデータ転送を併せて示している。
【図２】図２は、本発明の一態様による、移動無線通信装置とネットワーク装置との間の概略的なシグナリング図であり、移動無線通信装置内のメッセージ交換を含んでいる。
【図３】図３は、本発明の他の態様による、移動無線通信装置とネットワーク装置との間の概略的なシグナリング図であり、移動無線通信装置内のメッセージ交換を含んでいる。
【図４】図４は、本発明のさらに他の態様による、移動無線通信装置とネットワーク装置との間の概略的なシグナリング図であり、移動無線通信装置内のメッセージ交換を含んでいる。
【図５】図５は、本発明のさらに他の態様による、移動無線通信装置とネットワーク装置との間の概略的なシグナリング図であり、移動無線通信装置内のメッセージ交換を含んでいる。
【図６】図６は、本発明の実施の形態による動作を行うように構成される移動無線通信装置の概略図である。
【図７】図７は、本発明の実施の形態による動作を行うように構成される移動無線通信ネットワーク装置の概略図である。
【発明を実施するための形態】
【００６０】
以下、添付図面を参照して、本発明の実施の形態を一例として説明する。
【００６１】
図１において、３ＧＰＰ技術仕様書ＴＳ２３．４０１で知られる図５．３．２．１−１に基づいたシグナリング図であって、登録などを要求するサービスを受けるために、ネットワークに登録するように構成されるＵＥなどの移動無線通信装置用の“ネットワークアタッチ”に関連するシグナリング図が提供される。
【００６２】
このような登録は、ネットワークアタッチメントとして記載されており、ＥＰＳ（Evolved Packed System）のＵＥ／ユーザ用の“常時オン”のＩＰ接続（"always-on" IP connectivity）は、ネットワークアタッチメントの間にデフォルトのＥＰＳベアラを確立することによって可能になる。デフォルトのＥＰＳベアラに適用されるＰＣＣ（Policy and Charging Control）ルールは、ＰＤＮ  ＧＷ（Packet Data Network Gateway）内で予め規定されても良いし、ＰＤＮ  ＧＷ自身によってアタッチメントの中でアクティブ化されても良い。アタッチ手順は、ＵＥ用の専用のＥＰＳベアラを確立する１以上の専用のベアラ確立手順をトリガーとしても良い。アタッチ手順の間に、ＵＥはＩＰアドレス割当を要求しても良い。また、ＩＰアドレス割当用のメカニズムに基づきＩＥＴＦ（Internet Engineering Task Force）のみを利用する端末をサポートしても良い。
【００６３】
イニシャルアタッチ手順の間に、ＵＥからＭＥＩ（Mobile Equipment Identity）が得られる。ＭＭＥ（Mobile Management Entity：移動管理エンティティ）オペレータは、ＭＥＩをＥＩＲ（Equipment Identity Register）とチェックしても良い。ＭＭＥは、ＩＭＥＩＳＶ（ME Identity）を、ＨＳＳ及びＰＤＮ  ＧＷに渡す。また、ＭＭＥは、ＳＲＶＣＣ（Single Radio Voice Call Continuity）をサポートする場合、例えば、さらなるＩＭＳ登録用のＵＥ  ＳＲＶＣＣ機能を備えるＨＳＳに知らせることができる。
【００６４】
Ｅ−ＵＴＲＡＮ（Evolved Universal Terrestrial Radio Access Network）のイニシャルアタッチ手順は、ネットワークから通常のサービスを得ることはできていないが、緊急のサービスを実行する必要があるＵＥによる緊急のアタッチに使用される。これらのＵＥは、技術仕様書ＴＳ２３．１２２に規定されている、限定サービス状態（limited service state）にある。通常のサービスのためのアタッチをし、確立された緊急のベアラを持たず、限定サービス状態にあるセルにキャンプオンしているＵＥ（例えば、制限トラッキングエリア（restricted Tracking Area）又は禁止（not allowed）ＣＳＧ（Closed Subscriber Group））は、アタッチによって緊急のサービスを受けることになるアタッチ手順を開始すべきである。セルに正常にキャンプオンしているＵＥ、すなわち、限定サービス状態にないＵＥは、未だアタッチしていなければ、通常のアタッチ手順を開始すべきであり、また、緊急のＥＰＳベアラサービスを受けるために、ＵＥ要求ＰＤＮ接続手順（UE Requested PDN Connectivity procedure）を開始すべきである。
【００６５】
図１の詳細を参照すると、ＵＥ１２、ｅＮｏｄｅＢ１４、ＭＭＥ１６、ＭＭＥ／ＳＧＳＮ（Serving GPRS（General Packet Radio Service） Support Node）１８、サービングＧＷ２０、ＰＤＮ  ＧＷ２２、ＰＣＲＦ（Policy and Charging Rules Function）２４、ＨＳＳ２６、及びＥＩＲ２８の間に発生する実際のシグナリングが図示されており、本発明に直接的には関係しないこれらの態様は、以下のように要約することができる。
【００６６】
上述のように、シグナリングは、ＵＥ１２から移動装置識別子（mobile equipment identify）を得るイニシャルステージＡの間のアタッチ手順に関連しており、ＥＩＲ２８によってチェックされる。
【００６７】
セッション要求／応答／終端シグナリングＢ及びＣは、本発明の実施の形態に従って、ＨＳＳ２４からＭＭＥ１６への更新位置肯定応答信号（update location acknowledgement signal）３０の伝送前に発生し、この信号時に、ネットワークは、まず、小容量データ転送機能へのアクセスが許可されたアプリケーションを識別する参照アプリケーション情報の伝送を開始する。この特定の実施の形態においては、このような参照アプリケーション情報は、小容量データ転送許可又は小容量データ転送禁止アプリケーションリストである。
【００６８】
セッション要求／応答に関連するシグナリングは、ＭＭＥ１６とサービングＧＷ２０との間でＤで示されるように発生し、その後に、アタッチ容認メッセージを含むイニシャルコンテキストセットアップ要求信号（initial context setup request signal）３２が、ＭＭＥ１６からネットワークのｅＮｏｄｅＢ１４へ伝送される。このアタッチ容認メッセージは、以前にＨＳＳ２６からＭＭＥ１６へ受信された小容量データ転送許可又は禁止アプリケーションリストの前方伝送（onward delivery）のために提供される。
【００６９】
ＵＥ１２への伝送プロセスを完了するために、アタッチ容認メッセージを含むＲＲＣ接続再構成信号（RRC connection reconfiguration signal）３２が、ｅＮｏｄｅＢ１４からＵＥ１２へ伝送される。この伝送は、上述の技術仕様書ＴＳ２３．４０１で知られるアタッチ容認手順の一部である。しかし、本発明のこの態様では、信号３２におけるアタッチ容認メッセージは、以前にＭＭＥ１６から受信された小容量データ転送許可又は小容量データ転送禁止アプリケーションリストを含む。
【００７０】
続いて、ＵＥ１２は、小容量データ転送機能を使用する可能性があるアプリケーションの制御用の、受信された許可／禁止リストを３６で格納する。
【００７１】
完了のために、ＲＲＣ接続再構成完了、第１のアップリンクデータ、要求され修正されたベアラ要求／応答、及び第１のダウンリンクデータのプロビジョニングよりも前のアタッチ完了シグナリングを含む、シグナリングＥを終えることが示されている。
【００７２】
ＵＥ１２が参照アプリケーション情報を使用する方法は、例えば、必要に応じて及び様々な例として、ＳＤＴ許可アプリケーションリスト又はＳＤＴ禁止アプリケーションリストを変更することを含むが、このことは後述する。
【００７３】
図２を参照すると、ＵＥ１２内で、及び、図１のｅＮｏｄｅＢ１４及びＭＭＥ１６としてこの例では図示されているネットワーク装置１７へ向けて、発生するシグナリングの概略図が提供される。
【００７４】
ＵＥ１２内のアプリケーション層３８及びプロトコルスタック４０が図示され、信号４２によって、ＩＰパケット転送を行うものとして知られているプロトコルスタック４０への特定のアプリケーション要求を伴う手順が開始される。
【００７５】
この図示された例では、プロトコルスタック４０は、まず、要求された転送が、例えば、サイズの基準などの小容量データ転送基準を満たすか否か、続いて、アプリケーションが、以前にネットワーク装置１６から受信され、ＵＥ１２で保持されている小容量データ転送許可アプリケーションリスト内に含まれているか否か、のチェック４４を行うように構成される。
【００７６】
続いて、プロトコルスタック４０内では、ＩＰパケットが小容量データ転送基準を満たすだけでなく、アプリケーション自身が小容量データ転送許可アプリケーションリストにあるものとして識別される場合に、そのアプリケーションが、小容量データ転送機能を使用できると決定される。両方の条件が満たされない場合、プロトコルスタックは、フォールバック、すなわち通常のパケット転送手順が、アプリケーションの転送要求に使用されると決定するように構成することができる。
【００７７】
すなわち、プロトコルスタックがＳＤＴを使用可能と決定した場合、４６では、技術報告書ＴＲ２３．８８７のｓ５．１．１で提案されている小容量データ転送手順を構成することができると決定される。
【００７８】
小容量データ転送機能を使用できないとプロトコルスタックで決定された場合、４８では、上述のように、標準的な通常のパケット転送手順が行われる。
【００７９】
その代わりとして、小容量データ転送許可アプリケーションリストを使用するのではなく、本発明は、図３に図示されるように、小容量データ転送禁止アプリケーションリストの伝送及び格納を行い、それをプロトコルスタック内に適用することができる。もちろん、この場合、禁止アプリケーションリストにある特定のアプリケーションは、小容量データ転送機能によってネットワークアクセスを実行することができない。
【００８０】
そのため、図３を参照すると、図１に図示されるＵＥ１２内で及びＵＥ１２から発生し、図１に図示されるｅＮｏｄｅＢ１４及びＭＭＥ１６などのネットワーク装置１７に関連するシグナリングの概略図が提供される。
【００８１】
図２の実施の形態のように、既存のデータ転送要求に従って、ＵＥ１２のアプリケーション層３８内の任意の特定のアプリケーションは、データ転送要求５０を、関連するＩＰパケットを転送するプロトコルスタック４０に送信することができる。
【００８２】
プロトコルスタック４０内では、アプリケーション３８からのアップリンクデータをどのように処理すべきかの決定が５２で行われる。そのため、まず、アプリケーション層３８で識別され、転送を要求しているアプリケーションが、小容量データ転送基準を満たすか否かが決定され、続いて、識別される特定のアプリケーションが、以前にネットワークから受信され、ＵＥ１２に格納されている小容量データ転送禁止アプリケーションリスト内に含まれているか否かが決定される。
【００８３】
プロトコルスタック４０内において、ＩＰパケットが小容量データ転送基準を満たし、かつ、小容量データ転送禁止アプリケーションリストにないと５４で決定された場合、技術報告書ＴＲ２３．８８７のｓ５．１．１などの小容量データ転送手順を使用して、ＩＰパケットをネットワーク装置１７に転送することができる。
【００８４】
しかし、ＩＰパケットが小容量データ転送基準を満たしていないと決定されたか、又は、アプリケーションが小容量データ転送禁止アプリケーションリストにあると決定された場合、小容量データ転送機能の適用は許可されず、ＩＰパケットの転送は、通常の標準的なパケット転送手順５６によってのみ許可される。
【００８５】
小容量データ転送機能の使用可能性に関する決定をプロトコルスタック内で行う代わりに、このような決定は、図４及び図５を参照して図示及び説明されるように、アプリケーション層３８などの装置内の他の場所で行うこともできる。
【００８６】
まず図４を参照すると、特定のアプリケーションへの小容量データ転送機能の利用可能性の決定が、以前にネットワークから伝送された、ＵＥ１２内の小容量データ転送許可アプリケーションリストを参照することによって、アプリケーション層３８で行われる実施の形態が図示される。
【００８７】
また、要求されたアップリンクデータをどのように処理するかの最初の決定５８がアプリケーション層３８内で行われ、ここでは、まず、ＩＰパケットが、小容量データ転送基準を満たすか否か、及び、小容量データ転送許可アプリケーションリストにあるかどうかが決定される。
【００８８】
両方の条件が満たされた場合、小容量データ転送要求６０が、アプリケーション層３８からプロトコルスタック４０へ伝送され、それによって、ＴＲ２３．８８７のｓ５．１．１などで知られている小容量データ転送手順に従って、ネットワーク６２への前方データ転送（onward data transmission）を継続することができる。
【００８９】
その代わりに、ＩＰパケットが小容量データ転送基準を満たしていないか、又は、アプリケーションが小容量データ転送許可アプリケーションリストにない場合、続いて、デフォルトの通常のデータ転送要求６４が、アプリケーション層３８からプロトコルスタック４０へ伝送され、ＵＥ１２と図１のｅＮｏｄｅＢ１４及びＭＭＥ１６などのネットワーク装置１７との間では通常のパケット転送手順６６が許可される。
【００９０】
図５を参照すると、この例は、小容量データ転送手順によってネットワークへ転送するＩＰパケットの適合（suitability）の決定を、ＵＥ１２のアプリケーション層３８で行う点では、図４と同様である。しかし、この例では、このような決定を、小容量データ転送禁止アプリケーションリスト、すなわち、小容量データ転送機能へのアクセスを許可すべきでないものとして、参照アプリケーション情報に示されるアプリケーションの識別子を参照することによって行う。
【００９１】
ＵＥ１２内の、及び、ＵＥ１２と図１のｅＮｏｄｅＢ１４及びＭＭＥ１６などのネットワーク装置１７との間の、シグナリングが図示され、アプリケーション層３８では、アップリンクデータをどのように処理すべきかの決定が６８で行われる。
【００９２】
アプリケーション層３８内において、アプリケーションによってネットワークアクセスをするＩＰパケットが、小容量データ転送基準、例えば、サイズ及び／又は構造の基準を満たし、かつ、小容量データ転送禁止アプリケーションリストにないと決定された場合、例えば、ＴＲ２３．８８７のｓ５．１．１に従った小容量データ転送手順によって、ネットワーク装置１７へのデータの前方転送（onward transmission）を行うために、ＩＰパケット用の小容量データ転送要求７０がアプリケーション層３８からプロトコルスタック４０へ伝送される。
【００９３】
しかし、アプリケーション層３８からのＩＰパケットが小容量データ転送基準を満たしていないか、又は、アプリケーションが小容量データ転送禁止アプリケーションリストにある場合、続いて、ＩＰパケット用のデフォルトの通常のデータ転送要求７４がアプリケーション層３８からプロトコルスタック４０へ伝送される。続いて、アプリケーションデータは、デフォルトの通常のパケット転送手順７６によって、ＵＥ１２から送信される。
【００９４】
図６を参照すると、本発明の一態様に従って動作するように構成され、それによって、ネットワーク装置へのデータ転送用の小容量データ転送機能へのアクセス及び使用を効率的に制御するＵＥ７８などの移動無線通信装置の概略図が提供される。
【００９５】
ＵＥ７８は、アンテナ配列８２に接続された標準的な送信／受信機能回路８０、及び、ＵＥ７８のユーザインタフェースとなるインタフェース装置８４を含む。
【００９６】
ＵＥ７８は、アプリケーション９０及びプロトコルスタック９２として図示されたより低い層からなる標準的な層構成８８に従って、ＵＥ７８の様々な機能を制御するコントローラ８６を含む。また、ＵＥ７８は、小容量データ転送許可アプリケーションリスト又は小容量データ転送禁止アプリケーションリストの一方又は両方を格納するために使用可能で、本発明に従ったメモリ機能９４を含む。これらのリストは、必要に応じて、ネットワークアクセスを要求する特定のアプリケーションが上述した小容量データ転送機能の使用を許可されるべきであるか否かを決定するために、アプリケーション層９０又はプロトコルスタック９２で使用される。
【００９７】
図７を参照すると、図１の１６などのＭＭＥ９６であり、インタフェース配列１００に接続される送信／受信回路９８を有し、制御機能１０２及びアプリケーションリストプロセッサ１０４を含む、ネットワーク装置の同様の概略図が提供される。
【００９８】
この図示された例では、アプリケーションリストプロセッサ１０４は、図６に図示されたＵＥ７８などのＵＥへのＲＲＣ接続再構成シグナリング内の許可／禁止アプリケーションリストの前方伝送のための中継装置として動作するｅＮｏｄｅＢへの前方伝送のためにＭＭＥ９６によって作成されるアタッチ／ＴＡＵ／ＲＡＵ容認メッセージにおける許可／禁止アプリケーションリストを含むように構成される。
【００９９】
図示されたネットワーク装置は、ＭＭＥとして機能的に示されているが、ＭＭＥ及びｅＮｏｄｅＢを含む、組み合わせのネットワークノードとすることができ、ネットワーク装置のＭＭＥ部分がアプリケーションリストプロセッサ１０４を機能的に備え、ｅＮｏｄｅＢ部分は、中継装置として、アプリケーションリストを認識することなく、ＵＥへアタッチ／ＴＡＵ／ＲＡＵ容認メッセージを単に伝送する。
【０１００】
各々の場合、リストプロセッサは、最終的にＵＥ装置に伝送されて格納される許可アプリケーションリスト又は禁止アプリケーションリストを、アタッチ手順の一部として発生するシグナリングなどのネットワークシグナリングへ組み込む。
【０１０１】
本発明は上記実施形態に限定されものではなく、特許請求の範囲の記載に基づいて当業者が様々な変更をすることができることが明らかであることに留意すべきである。
【０１０２】
この出願は、２０１３年１０月１８日に出願された英国出願１３１８４４１．１を基礎とする優先権を主張し、その開示の全てをここに取り込む。
【符号の説明】
【０１０３】
１２，７８  ＵＥ
１４  ｅＮｏｄｅＢ
１６，９６  ＭＭＥ
１７  ネットワーク装置
１８  ＭＭＥ／ＳＧＳＮ
２０  サービングＧＷ
２２  ＰＤＮ  ＧＷ
２４  ＰＣＲＦ
２６  ＨＳＳ
２８  ＥＩＲ
３８，９０  アプリケーション層
４０，９２  プロトコルスタック
８０  送信／受信機能回路
８２  アンテナ配列
８４  インタフェース装置
８６  コントローラ
８８  標準的な層構成
９４  メモリ機能
９８  送信／受信回路
１００  インタフェース配列
１０２  制御機能
１０４  アプリケーションリストプロセッサ
【図１】
2016536861.tif 000003
【図２】
2016536861.tif 000004
【図３】
2016536861.tif 000005
【図４】
2016536861.tif 000006
【図５】
2016536861.tif 000007
【図６】
2016536861.tif 000008
【図７】
2016536861.tif 000009
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
移動無線通信ネットワーク内での通信用の移動無線通信装置であって、前記装置は、データ転送用のネットワークアクセスであって小容量データ転送機能（Small Data Transmission feature）を含むネットワークアクセスを要求する少なくとも１つのアプリケーションを動作させるように構成され、さらに、前記装置は、参照アプリケーション情報を受信するように構成され、前記参照アプリケーション情報によって、ネットワークアクセスをするアプリケーションがデータ転送用の前記小容量データ転送機能を使用可能であるかどうかを決定することができる、移動無線通信装置。
【請求項２】
前記要求された転送が小容量データ転送基準を満たすかどうかを決定するように構成される、請求項１に記載の移動無線通信装置。
【請求項３】
前記要求された転送が小容量データ転送基準を満たすかどうかを、前記装置のアプリケーション層又はプロトコルスタックで決定するように構成される、請求項２に記載の移動無線通信装置。
【請求項４】
前記参照アプリケーション情報は、前記小容量データ転送機能を使用可能なアプリケーションを識別することができる、請求項１〜３のいずれか１項に記載の移動無線通信装置。
【請求項５】
前記参照アプリケーション情報は、前記小容量データ転送機能の使用を禁止されたアプリケーションを識別することができる、請求項１〜４のいずれか１項に記載の移動無線通信装置。
【請求項６】
前記参照アプリケーション情報の参照によって、前記小容量データ転送機能を使用することができないと決定された場合、フォールバックパケット転送手順を使用するように構成される、請求項１〜５のいずれか１項に記載の移動無線通信装置。
【請求項７】
移動無線通信ネットワーク内での通信用の移動無線通信装置における動作方法であって、前記装置は、データ転送用のネットワークアクセスであって小容量データ転送機能（Small Data Transmission feature）を含むネットワークアクセスを要求する複数のアプリケーションを含み、前記方法は、ネットワークアクセスをするアプリケーションがデータ転送用の前記小容量データ転送機能を使用可能であるかどうかを、参照アプリケーション情報によって決定するステップを含む、方法。
【請求項８】
移動無線通信ネットワーク内で動作する移動無線通信装置との通信するように構成されると共に、データ転送用のネットワークアクセスであって小容量データ転送機能を含むネットワークアクセスを要求するアプリケーションを動作させるように構成される移動無線通信ネットワーク装置であって、さらに、前記装置は、参照アプリケーション情報を前記移動無線通信装置に伝送するよう構成され、前記参照アプリケーション情報によって、ネットワークアクセスをするアプリケーションがデータ転送用の前記小容量データ転送機能を使用可能であるかどうかを決定することができる、移動無線通信ネットワーク装置。
【請求項９】
移動無線通信ネットワーク内に設置される移動無線通信装置と通信するように構成されると共に、データ転送用のネットワークアクセスを要求するアプリケーションを動作させるように構成される移動無線通信ネットワーク装置における動作方法であって、前記ネットワークアクセスは、小容量データ転送機能を含み、前記方法は、参照アプリケーション情報を前記移動無線通信装置に伝送することを含み、前記参照アプリケーション情報によって、ネットワークアクセスをするアプリケーションがデータ転送用の前記小容量データ転送機能を使用可能であるかどうかを決定することができる、方法。
【請求項１０】
請求項１〜６のいずれか１項に記載の移動無線通信装置及び請求項７に記載の移動無線通信ネットワーク装置を使用する通信システム。
【手続補正２】
【補正対象書類名】明細書
【補正対象項目名】０１０２
【補正方法】変更
【補正の内容】
【０１０２】
この出願は、２０１３年１０月１８日に出願された英国出願１３１８４４１．１を基礎とする優先権を主張し、その開示の全てをここに取り込む。
上記実施形態の一部又は全部は、以下の付記のようにも記載されうるが、以下には限られない。
（付記１）
移動無線通信ネットワーク内での通信用の移動無線通信装置であって、前記装置は、データ転送用のネットワークアクセスであって小容量データ転送機能（Small Data Transmission feature）を含むネットワークアクセスを要求する少なくとも１つのアプリケーションを動作させるように構成され、さらに、前記装置は、参照アプリケーション情報を受信するように構成され、前記参照アプリケーション情報によって、ネットワークアクセスをするアプリケーションがデータ転送用の前記小容量データ転送機能を使用可能であるかどうかを決定することができる、移動無線通信装置。
（付記２）
前記要求された転送が小容量データ転送基準を満たすかどうかを決定するように構成される、付記１に記載の移動無線通信装置。
（付記３）
前記要求された転送が小容量データ転送基準を満たすかどうかを、前記装置のアプリケーション層又はプロトコルスタックで決定するように構成される、付記２に記載の移動無線通信装置。
（付記４）
前記参照アプリケーション情報は、前記小容量データ転送機能を使用可能なアプリケーションを識別することができる、付記１〜３のいずれか１項に記載の移動無線通信装置。
（付記５）
前記参照アプリケーション情報は、前記小容量データ転送機能の使用を禁止されたアプリケーションを識別することができる、付記１〜４のいずれか１項に記載の移動無線通信装置。
（付記６）
前記参照アプリケーション情報の参照によって、前記小容量データ転送機能を使用することができないと決定された場合、フォールバックパケット転送手順を使用するように構成される、付記１〜５のいずれか１項に記載の移動無線通信装置。
（付記７）
前記無線通信ネットワークから前記参照アプリケーション情報を受信するように構成される、付記１〜６のいずれか１項に記載の移動無線通信装置。
（付記８）
ネットワークアクセスをするアプリケーションが前記小容量データ転送機能を使用可能であるかどうかを、アプリケーション層で決定するように構成される、付記１〜７のいずれか１項に記載の移動無線通信装置。
（付記９）
ネットワークアクセスをするアプリケーションが前記小容量データ転送機能を使用可能であるかどうかを、プロトコルスタックで決定するように構成される、付記１〜７のいずれか１項に記載の移動無線通信装置。
（付記１０）
前記参照アプリケーション情報は、アプリケーション識別子である、付記１〜９のいずれか１項に記載の移動無線通信装置。
（付記１１）
前記少なくとも１つのアプリケーションは、前記装置の内部から導き出される、付記１〜１０のいずれか１項に記載の移動無線通信装置。
（付記１２）
前記少なくとも１つのアプリケーションは、前記装置の外部から導き出される、付記１〜１０のいずれか１項に記載の移動無線通信装置。
（付記１３）
移動無線通信ネットワーク内での通信用の移動無線通信装置における動作方法であって、前記装置は、データ転送用のネットワークアクセスであって小容量データ転送機能（Small Data Transmission feature）を含むネットワークアクセスを要求する複数のアプリケーションを含み、前記方法は、ネットワークアクセスをするアプリケーションがデータ転送用の前記小容量データ転送機能を使用可能であるかどうかを、参照アプリケーション情報によって決定するステップを含む、方法。
（付記１４）
前記要求された転送が小容量データ転送基準を満たすかどうかを決定するステップを含む、付記１３に記載の方法。
（付記１５）
前記決定ステップは、アプリケーション層又はプロトコルスタックで実行される、付記１４に記載の方法。
（付記１６）
前記参照アプリケーション情報を、前記小容量データ転送機能へのアクセスが許可されたアプリケーションの識別子として、又は、前記小容量データ転送機能へのアクセスが許可されていないアプリケーションの識別子として、渡すことを含む、付記１３、１４、及び１５のいずれか１項に記載の方法。
（付記１７）
前記要求された転送が小容量データ転送基準を満たさないと決定された場合、及び／又は、前記アプリケーションが前記小容量データ転送機能へのアクセスが許可されたものとして識別されない場合、フォールバック手順によって、前記アプリケーションデータを転送することを含む、付記１３〜１６のいずれか１項に記載の方法。
（付記１８）
前記ネットワークから前記参照アプリケーション情報を受信するステップを含む、付記１３〜１７のいずれか１項に記載の方法。
（付記１９）
前記アプリケーションデータが禁止又は許可されているか否かを決定する前記ステップは、アプリケーション層で実行される、付記１３〜１８のいずれか１項に記載の方法。
（付記２０）
前記アプリケーションデータが禁止又は許可されているか否かを決定する前記ステップは、プロトコルスタックで実行される、付記１３〜１８のいずれか１項に記載の方法。
（付記２１）
ネットワークアクセスをする前記アプリケーションは、前記装置の内部から導き出される、付記１３〜２０のいずれか１項に記載の方法。
（付記２２）
ネットワークアクセスをする前記アプリケーションは、前記装置の外部から導き出される、付記１３〜２０のいずれか１項に記載の方法。
（付記２３）
移動無線通信ネットワーク内で動作する移動無線通信装置との通信するように構成されると共に、データ転送用のネットワークアクセスであって小容量データ転送機能を含むネットワークアクセスを要求するアプリケーションを動作させるように構成される移動無線通信ネットワーク装置であって、さらに、前記装置は、参照アプリケーション情報を前記移動無線通信装置に伝送するよう構成され、前記参照アプリケーション情報によって、ネットワークアクセスをするアプリケーションがデータ転送用の前記小容量データ転送機能を使用可能であるかどうかを決定することができる、移動無線通信ネットワーク装置。
（付記２４）
前記参照アプリケーション情報は、前記小容量データ転送機能へのアクセスが許可されたアプリケーションの識別子、又は、前記小容量データ転送機能へのアクセスが許可されていないアプリケーションの識別子である、付記２３に記載の移動無線通信ネットワーク装置。
（付記２５）
前記参照アプリケーション情報を、許可アプリケーションリスト又は禁止アプリケーションリストとして、前記移動無線通信装置に渡すように構成される、付記２３又は２４に記載の移動無線通信ネットワーク装置。
（付記２６）
前記移動無線通信ネットワーク装置は、ホーム加入者サーバ（Home Subscriber Server）、移動管理エンティティ（Mobile Management Entity）、又はｅＮｏｄｅＢのいずれかである、付記２３、２４、又は２５に記載の移動無線通信ネットワーク装置。
（付記２７）
移動無線通信ネットワーク内に設置される移動無線通信装置と通信するように構成されると共に、データ転送用のネットワークアクセスを要求するアプリケーションを動作させるように構成される移動無線通信ネットワーク装置における動作方法であって、前記ネットワークアクセスは、小容量データ転送機能を含み、前記方法は、参照アプリケーション情報を前記移動無線通信装置に伝送することを含み、前記参照アプリケーション情報によって、ネットワークアクセスをするアプリケーションがデータ転送用の前記小容量データ転送機能を使用可能であるかどうかを決定することができる、方法。
（付記２８）
前記小容量データ転送機能へのアクセスが許可されたアプリケーションの識別子である前記参照アプリケーション情報を伝送するステップを含む、付記２７に記載の方法。
（付記２９）
前記小容量データ転送機能の使用を禁止されたアプリケーションの識別子である前記参照アプリケーション情報を伝送するステップを含む、付記２７に記載の方法。
（付記３０）
付記１〜１２のいずれか１項に記載の移動無線通信装置及び付記２３〜２６のいずれか１項に記載の移動無線通信ネットワーク装置を使用する通信システム。
（付記３１）
移動無線通信ネットワークの動作方法であって、付記１３〜２０のいずれか１項に記載の移動無線通信装置を動作させ、移動無線通信ネットワーク装置を動作させるステップを含む、方法。
（付記３２）
添付図面を参照して実質的に述べられる、移動無線通信装置。
（付記３３）
添付図面を参照して実質的に述べられる、移動無線通信装置における動作方法。
（付記３４）
添付図面を参照して実質的に述べられる、移動無線通信ネットワーク装置。
（付記３５）
添付図面を参照して実質的に述べられる、移動無線通信ネットワーク装置における動作方法。
（付記３６）
添付図面を参照して実質的に述べられる、移動無線通信システム。
（付記３７）
添付図面を参照して実質的に述べられる、移動無線通信システムにおける動作方法。
【国際調査報告】
2016536861.tif 000010
2016536861.tif 000011